(57)【特許請求の範囲】
【請求項１】
電源部から各種の回路およびモータに電力が供給される通常状態と、前記電源部から前記各種の回路に電力が供給される第１状態と、前記電源部から前記各種の回路および前記モータに電力が供給されない第２状態と、になる画像形成装置であって、
前記電源部に接続され前記通常状態および前記第１状態である期間中に前記電源部によって充電されるコンデンサと、
前記コンデンサに接続され、前記第２状態である場合には、前記コンデンサからの電力供給によって動作する監視部と、
前記通常状態および前記第１状態の場合、前記電源部からの電力供給によって動作する制御部と、
を備え、
前記監視部はカウンタを備え、前記カウンタに設定された装置情報検出時間が経過することに応じて前記画像形成装置が第１所定状態である旨を検出し、前記画像形成装置を前記通常状態に遷移させ、
前記監視部は前記コンデンサの充電残量が予め定められた所定値よりも少なくなったことに応じて、前記画像形成装置が第２所定状態である旨を検出し、前記画像形成装置を前記通常状態に遷移させ、
前記制御部は、
前記第１所定状態である旨が前記監視部で検出されて前記画像形成装置が前記通常状態へ遷移した場合には、記憶部に記憶される指示情報を読出し、前記指示情報が前記画像形成装置に関する情報の取得を指示する場合は前記情報を取得し、前記情報の取得後、前記第２状態に遷移させ、
前記２所定状態である旨が前記監視部で検出されて前記画像形成装置が前記通常状態へ遷移した場合には、前記画像形成装置を前記第１状態に遷移させることを特徴とする画像形成装置。
【請求項２】
前記制御部は前記監視部を含み、前記通常状態および前記第１状態では前記制御部全体が動作する一方、前記第２状態では前記制御部のうち監視部のみが動作することを特徴とする請求項１に記載の画像形成装置。
【請求項３】
前記監視部は、電力の供給を停止する停止信号を前記電源部へ送信する切替部をさらに備え、
前記制御部は前記情報の取得後、前記切替部を制御し、前記停止信号を前記電源部へ送信させることを特徴とする請求項１または２に記載の画像形成装置。
【請求項４】
前記通常状態および前記第１状態において動作するセンサをさらに備え、
前記画像形成装置に関する情報の取得は、前記センサが検出した装置情報の取得を含む、請求項１〜３のいずれかに記載の画像形成装置。
【請求項５】
前記監視部は装置情報検出時間が経過することに応じて前記第１所定状態である旨を検出し、
前記記憶部は、前記制御部が前回に取得した前記装置情報を記憶し、
前記制御部は、前記装置情報検出時間としての第１の装置情報時間が経過して前記通常状態に遷移した場合に取得した前記装置情報が、前記記憶部に記憶されている前記装置情報と異なる場合には、前記第１の装置情報時間よりも短い第２の装置情報時間を前記装置情報検出時間として設定し、
前記画像形成装置を前記第２状態に遷移させることを特徴とする請求項４に記載の画像形成装置。
【請求項６】
前記制御部は取得した前記装置情報が前記記憶部に記憶されている前記装置情報と異なる場合には、前記記憶部に装置情報の変化を示す変化情報を記憶させ、
前記画像形成装置を前記第２状態に遷移させることを特徴とする請求項５に記載の画像形成装置。
【請求項７】
前記制御部は取得した前記装置情報が前記記憶部に記憶されている前記装置情報と等しく、かつ、前記記憶部に変化情報が記憶されている場合は、前記第２の装置情報時間を前記装置情報検出時間として設定した後、前記第２状態に遷移させることを特徴とする請求項６に記載の画像形成装置。
【請求項８】
前記画像形成装置に関する情報の取得は少なくとも、前記画像形成装置の環境情報の取得を含み、
前記制御部は、前記画像形成装置が前記通常状態である場合は前記環境情報の取得を行うことを特徴とする請求項１〜７のいずれかに記載の画像形成装置。
【請求項９】
前記画像形成装置は、
画像形成に用いるインクを保持する保持部と、
前記インクの吐出を行なう印刷部と、
をさらに備え、
前記制御部が実行する前記環境情報を取得する処理は、少なくとも前記保持部に保持されているインクの温度を測定する処理を含み、
前記制御部は、測定された前記インクの温度が低いほど時間が短くなるように前記装置情報検出時間を設定し、
前記監視部は、前記装置情報検出時間が経過することに応じて、前記画像形成装置が前記第１所定状態である旨を検出し、
前記制御部は、前記指示情報がメンテナンスを示す場合は、前記設定した指示情報に従い前記印刷部のメンテナンス処理を行うことを特徴とする請求項８に記載の画像形成装置。
【請求項１０】
前記監視部は、前記第２状態において、前記画像形成装置が前記第１所定状態および前記第２所定状態を含む複数の状態のいずれかである旨を検出可能であり、
前記監視部は、前記複数の状態いずれかである旨を検出することに応じて前記通常状態に遷移させ、
前記制御部は、前記監視部で検出される状態が所定時間が経過した旨の前記第１所定状態である場合に、記憶部に記憶される指示情報を読出すことを特徴とする請求項１〜９のいずれかに記載の画像形成装置。
【発明の詳細な説明】
【技術分野】
【０００１】
本明細書は、画像形成装置の省電力化に関する。
【背景技術】
【０００２】
画像形成装置の省電力化の要請が高まっている。特許文献１には、電力消費の少ないスリープモードと、電力消費の多いノーマルモードとを切り替えながら駆動することができる画像形成装置が開示されている。
【先行技術文献】
【特許文献】
【０００３】
【特許文献１】特開２００４−３５８９６３号公報
【発明の概要】
【発明が解決しようとする課題】
【０００４】
スリープモードでは、装置状態を監視する回路などの、スリープ中にも動作させる必要がある回路に対して、電力を供給する必要がある。すると、スリープモードで消費される電力によって、画像形成装置の省電力化をさらに進めることが困難となる場合がある。本明細書では、このような不便性を解消することができる技術を提供する。
【課題を解決するための手段】
【０００５】
本明細書に記載の画像形成装置は、電源部から各種の回路およびモータに電力が供給される通常状態と、電源部から各種の回路に電力が供給される第１状態と、電源部から各種の回路およびモータに電力が供給されない第２状態と、になる画像形成装置であって、電源部に接続され通常状態および第１状態である期間中に電源部によって充電されるコンデンサと、コンデンサに接続され、第２状態である場合には、コンデンサからの電力供給によって動作する監視部と、通常状態および第１状態の場合、電源部からの電力供給によって動作する制御部と、を備え、監視部はカウンタを備え、カウンタに設定された装置情報検出時間が経過することに応じて画像形成装置が第１所定状態である旨を検出し、画像形成装置を通常状態に遷移させ、監視部はコンデンサの充電残量が予め定められた所定値よりも少なくなったことに応じて、画像形成装置が第２所定状態である旨を検出し、画像形成装置を通常状態に遷移させ、制御部は、第１所定状態である旨が監視部で検出されて画像形成装置が通常状態へ遷移した場合には、記憶部に記憶される指示情報を読出し、指示情報が画像形成装置に関する情報の取得を指示する場合は情報を取得し、情報の取得後、第２状態に遷移させ、２所定状態である旨が監視部で検出されて画像形成装置が通常状態へ遷移した場合には、画像形成装置を第１状態に遷移させることを特徴とする。
【０００６】
このように構成された画像形成装置によれば、画像形成装置が第２状態（電源部から電力が供給されていない状態）である場合には、監視部は、コンデンサからの電力供給によって画像形成装置を監視することができる。これにより、画像形成装置を使用しない期間においては、電源部からは電力の供給を受けず、コンデンサからの電力供給だけで画像形成装置を駆動させることができるため、さらなる省電力化を図ることができる。
【０００７】
請求項２に記載の画像形成装置では、通常状態および第１状態で動作する回路（制御部全体）に比して、第２状態で動作する回路（監視部のみ）の方を少なくすることができる。よって、画像形成装置が第２状態である場合の方が、通常状態および第１状態である場合よりも、消費電力を減少させることができる。
【０００８】
請求項３に記載の画像形成装置では、切替部によって電力の供給を停止させることができるため、省電力化を図ることが可能となる。
【０００９】
請求項４に記載の画像形成装置では、画像形成装置に関する情報をセンサを用いて取得することができる。よって、画像形成装置の装置状態に基づいて、画像形成装置を通常状態および第１状態と第２状態との何れに設定するかを制御することが可能となる。
【００１０】
請求項５に記載の画像形成装置では、画像形成装置の状態が変化している場合には、画像形成装置の状態が変化していない場合に比して、第２状態から通常状態に遷移する頻度を高くすることができる。これにより、画像形成装置の状態が変化している場合の方が、より高い頻度で画像形成装置に関する情報を取得することが可能となる。よって、画像形成装置の状態に応じて、省電力化を優先する制御と、画像形成装置の状態を監視する制御を優先する制御とを切り替えることが可能となる。
【００１１】
請求項６に記載の画像形成装置では、前回の通常状態への遷移時に取得した装置状態と、現在の装置状態との間で、装置状態の変化の有無を検出することができる。よって、画像形成装置の装置状態の変化の有無に基づいて、第２状態から通常状態に遷移する頻度を変更することができる。
【００１２】
請求項７に記載の画像形成装置では、装置情報が変化した状態が維持されている場合には、装置情報が変化していない場合に比して、第２状態から通常状態に遷移する頻度を高くすることができる。これにより、装置情報が変化した状態が維持されている場合（装置状態の監視が必要な場合）には、より高い頻度で画像形成装置の装置状態を監視することが可能となる。
【００１３】
請求項８に記載の画像形成装置では、画像形成装置が通常状態に遷移している場合に、環境情報を取得することができる。よって、環境情報に基づいて、画像形成装置を通常状態と第２状態の何れに設定するかを制御することが可能となる。
【００１４】
画像形成に用いるインクは、温度が低くなるほど粘度が上昇し、印刷部でのインク詰まりが発生しやすくなる。請求項９に記載の画像形成装置では、保持部に保持されているインクの温度が低いほど、通常状態に遷移してメンテナンス処理を実行する頻度を高くすることができる。これにより、印刷部でのインク詰まりの発生を、より効果的に防止することができる。
【００１５】
請求項１０に記載の画像形成装置では、所定時間が経過した場合に、画像形成装置を第２状態から通常状態へ遷移させ、指示情報に基づいた処理を実行することが可能となる。
以下に、本明細書に記載の技術の特徴を列挙する。
［特徴１］
電源部から各種の回路に電力が供給される第１状態と、前記電源部から前記各種の回路に電力が供給されない第２状態と、になる画像形成装置であって、
前記電源部に接続され前記第１状態である期間中に前記電源部によって充電されるコンデンサと、
前記コンデンサに接続され、前記第２状態である場合には、前記コンデンサからの電力供給によって動作する監視部と、
前記第１状態の場合、前記電源部からの電力供給によって動作する制御部と、
を備え、
前記監視部は、前記第２状態である場合に、前記画像形成装置が所定状態である旨を検出することに応じて、前記画像形成装置を前記第１状態に遷移させ、
前記制御部は、前記第１状態へ遷移した後、記憶部に記憶される指示情報を読出し、
前記指示情報が前記画像形成装置に関する情報の取得を指示する場合は前記情報を取得し、前記情報の取得後、前記第２状態に遷移させることを特徴とする画像形成装置。
［特徴２］
前記制御部は前記監視部を含み、前記第１状態では前記制御部全体が動作する一方、前記第２状態では前記制御部のうち監視部のみが動作することを特徴とする特徴１に記載の画像形成装置。
［特徴３］
前記監視部は、電力の供給を停止する停止信号を前記電源部へ送信する切替部をさらに備え、
前記制御部は前記情報の取得後、前記切替部を制御し、前記停止信号を前記電源部へ送信させることを特徴とする特徴１または２に記載の画像形成装置。
［特徴４］
前記第１状態において動作するセンサをさらに備え、
前記画像形成装置に関する情報の取得は、前記センサが検出した装置情報の取得を含む、特徴１〜３のいずれかに記載の画像形成装置。
［特徴５］
前記監視部はカウンタを備え、前記カウンタに設定された装置情報検出時間が経過することに応じて前記所定状態である旨を検出し、
前記記憶部は、前記制御部が前回に取得した前記装置情報を記憶し、
前記制御部は、前記装置情報検出時間としての第１の装置情報時間が経過して前記第１状態に遷移した場合に取得した前記装置情報が、前記記憶部に記憶されている前記装置情報と異なる場合には、前記第１の装置情報時間よりも短い第２の装置情報時間を前記装置情報検出時間として設定し、
前記画像形成装置を前記第２状態に遷移させることを特徴とする特徴４に記載の画像形成装置。
［特徴６］
前記制御部は取得した前記装置情報が前記記憶部に記憶されている前記装置情報と異なる場合には、前記記憶部に装置情報の変化を示す変化情報を記憶させ、
前記画像形成装置を前記第２状態に遷移させることを特徴とする特徴５に記載の画像形成装置。
［特徴７］
前記制御部は取得した前記装置情報が前記記憶部に記憶されている前記装置情報と等しく、かつ、前記記憶部に変化情報が記憶されている場合は、前記第２の装置情報取得時間を前記装置情報検出時間として設定した後、前記第２状態に遷移させることを特徴とする特徴６に記載の画像形成装置。
［特徴８］
前記画像形成装置に関する情報の取得は少なくとも、前記画像形成装置の環境情報の取得を含み、
前記制御部は、前記画像形成装置が前記第１状態である場合は前記環境情報の取得を行うことを特徴とする特徴１〜７のいずれかに記載の画像形成装置。
［特徴９］
前記画像形成装置は、
画像形成に用いるインクを保持する保持部と、
前記インクの吐出を行なう印刷部と、
をさらに備え、
前記制御部が実行する前記環境情報を取得する処理は、少なくとも前記保持部に保持されているインクの温度を測定する処理を含み、
前記制御部は、測定された前記インクの温度が低いほど時間が短くなるように前記装置情報検出時間を設定し、
前記監視部は、前記装置情報検出時間が経過することに応じて、前記画像形成装置が前記所定状態である旨を検出し、
前記制御部は、前記指示情報がメンテナンスを示す場合は、前記設定した指示情報に従い前記印刷部のメンテナンス処理を行うことを特徴とする特徴８に記載の画像形成装置。
［特徴１０］
前記監視部は、前記第２状態において、前記画像形成装置が前記所定状態を含む複数の状態のいずれかである旨を検出可能であり、
前記監視部は、前記複数の状態いずれかである旨を検出することに応じて前記第１状態に遷移させ、
前記制御部は、前記監視部で検出される状態が所定時間が経過した旨の前記所定状態である場合に、記憶部に記憶される指示情報を読出すことを特徴とする特徴１〜９のいずれかに記載の画像形成装置。
特徴１のように構成された画像形成装置によれば、画像形成装置が第２状態（電源部から電力が供給されていない状態）である場合には、監視部は、コンデンサからの電力供給によって画像形成装置を監視することができる。これにより、画像形成装置を使用しない期間においては、電源部からは電力の供給を受けず、コンデンサからの電力供給だけで画像形成装置を駆動させることができるため、さらなる省電力化を図ることができる。
特徴２に記載の画像形成装置では、第１状態で動作する回路（制御部全体）に比して、第２状態で動作する回路（監視部のみ）の方を少なくすることができる。よって、画像形成装置が第２状態である場合の方が、第１状態である場合よりも、消費電力を減少させることができる。
特徴３に記載の画像形成装置では、切替部によって電力の供給を停止させることができるため、省電力化を図ることが可能となる。
特徴４に記載の画像形成装置では、画像形成装置に関する情報をセンサを用いて取得することができる。よって、画像形成装置の装置状態に基づいて、画像形成装置を第１状態と第２状態の何れに設定するかを制御することが可能となる。
特徴５に記載の画像形成装置では、画像形成装置の状態が変化している場合には、画像形成装置の状態が変化していない場合に比して、第２状態から第１状態に遷移する頻度を高くすることができる。これにより、画像形成装置の状態が変化している場合の方が、より高い頻度で画像形成装置に関する情報を取得することが可能となる。よって、画像形成装置の状態に応じて、省電力化を優先する制御と、画像形成装置の状態を監視する制御を優先する制御とを切り替えることが可能となる。
特徴６に記載の画像形成装置では、前回の第１状態への遷移時に取得した装置状態と、現在の装置状態との間で、装置状態の変化の有無を検出することができる。よって、画像形成装置の装置状態の変化の有無に基づいて、第２状態から第１状態に遷移する頻度を変更することができる。
特徴７に記載の画像形成装置では、装置情報が変化した状態が維持されている場合には、装置情報が変化していない場合に比して、第２状態から第１状態に遷移する頻度を高くすることができる。これにより、装置情報が変化した状態が維持されている場合（装置状態の監視が必要な場合）には、より高い頻度で画像形成装置の装置状態を監視することが可能となる。
特徴８に記載の画像形成装置では、画像形成装置が第１状態に遷移している場合に、環境情報を取得することができる。よって、環境情報に基づいて、画像形成装置を第１状態と第２状態の何れに設定するかを制御することが可能となる。
画像形成に用いるインクは、温度が低くなるほど粘度が上昇し、印刷部でのインク詰まりが発生しやすくなる。特徴９に記載の画像形成装置では、保持部に保持されているインクの温度が低いほど、第１状態に遷移してメンテナンス処理を実行する頻度を高くすることができる。これにより、印刷部でのインク詰まりの発生を、より効果的に防止することができる。
特徴１０に記載の画像形成装置では、所定時間が経過した場合に、画像形成装置を第２状態から第１状態へ遷移させ、指示情報に基づいた処理を実行することが可能となる。
【図面の簡単な説明】
【００１６】
【図１】画像形成装置の制御構成を示すブロック図である。
【図２】画像形成装置の制御構成を示すブロック図である。
【図３】電力制御処理のフローチャートである。
【図４】電力制御処理のフローチャートである。
【図５】電力制御処理のフローチャートである。
【図６】電力制御処理のフローチャートである。
【図７】電力制御処理のフローチャートである。
【図８】電力制御処理のフローチャートである。
【図９】電力制御処理のフローチャートである。
【発明を実施するための形態】
【００１７】
＜画像形成装置の構成＞
図１は、本願に係る画像形成装置１の制御構成を示すブロック図である。画像形成装置１は、インクジェット方式に従う記録ヘッドを用いた画像形成装置である。図１に示すように、画像形成装置１は、電源部３０１、電源管理装置１００および２００、ＡＳＩＣ（Application Specific Integrated Circuit）１０、記録ヘッド１１、ペーパーフィードモータ１３１、オートドキュメントフィードモータ１３２、フラットベッドモータ１３３、キャリッジモータ１３４、コンデンサ３０２、レギュレータ３０３、コンデンサ残量検知手段３０４、ダイオード３０６、ＤＤＲメモリ２８１、ＥＥＰＲＯＭ２８２、を備える。
【００１８】
電源部３０１は、入力されるＡＣ電源ＡＶを、ＤＣ電源ＤＶに変換して出力する回路である。また電源部３０１には、起動信号ＢＳ、０Ｖスリープ信号ＳＬＥＥＰ１、８Ｖスリープ信号ＳＬＥＥＰ２、が入力される。電源部３０１は、起動信号ＢＳによって通常モードへ移行する旨が指示されると、３１ＶのＤＣ電源ＤＶを供給する。電源部３０１は、０Ｖスリープ信号ＳＬＥＥＰ１によって第２スリープモードへ移行する旨が指示されると、ＤＣ電源ＤＶの供給を停止する。電源部３０１は、８Ｖスリープ信号ＳＬＥＥＰ２によって第１スリープモードへ移行する旨が指示されると、８ＶのＤＣ電源ＤＶを供給する。
【００１９】
電源管理装置１００および２００は、各々、別体のＩＣ（Integrated Circuit）として形成されている。電源管理装置１００および２００は、ペーパーフィードモータ１３１などの各種のモータを駆動するモータ駆動手段と、電力供給のためのＤＣ／ＤＣコンバータとを備えた複合ＩＣである。
【００２０】
電源管理装置１００の構成について説明する。電源管理装置１００には、ＤＣ電源ＤＶが入力される。電源管理装置１００からは、電圧Ｖ１（５．０Ｖ）、電圧Ｖ４（３．３Ｖ）、ＡＳＩＣリセット信号ＡＳＩＣ＿Ｒ、ＲＴＣリセット信号ＲＴＣ＿Ｒ、電圧ＨＶＤＤ、電圧ＭＶ１〜ＭＶ４、が出力される。電圧Ｖ１は、電源管理装置２００に入力される。また電圧Ｖ１は、ダイオード３０６を介して、コンデンサ３０２、レギュレータ３０３、コンデンサ残量検知手段３０４に入力される。電圧Ｖ４は、ＡＳＩＣ１０およびＥＥＰＲＯＭ２８２に入力される。ＡＳＩＣリセット信号ＡＳＩＣ＿Ｒは、ＡＳＩＣ１０に入力される。ＡＳＩＣリセット信号ＡＳＩＣ＿Ｒは、ＡＳＩＣ１０のＲＴＣ部３１０以外の回路を停止させるための信号である。ＲＴＣリセット信号ＲＴＣ＿Ｒは、ＡＳＩＣ１０に入力される。ＲＴＣリセット信号ＲＴＣ＿Ｒは、異常発生時等にＲＴＣ部３１０を再起動するための信号である。電圧ＨＶＤＤは、記録ヘッド１１に入力される。電圧ＭＶ１〜ＭＶ４の各々は、ペーパーフィードモータ１３１〜キャリッジモータ１３４の各々に入力される。
【００２１】
電源管理装置２００の構成について説明する。電源管理装置２００には、電圧Ｖ１が入力される。電源管理装置２００からは、電圧Ｖ２（１．２Ｖ）、電圧Ｖ３（１．５Ｖ）、電圧Ｖ５（３．３Ｖ）が出力される。電圧Ｖ２およびＶ５は、ＡＳＩＣ１０に入力される。電圧Ｖ３は、ＡＳＩＣ１０およびＤＤＲメモリ２８１に入力される。
【００２２】
コンデンサ３０２は、ダイオード３０６のカソード端子、レギュレータ３０３、コンデンサ残量検知手段３０４に接続されている。レギュレータ３０３からは、所定電圧にレギュレートされた電圧ＶＣが出力され、ＡＳＩＣ１０に入力される。コンデンサ残量検知手段３０４から出力される信号ＣＳは、ＡＳＩＣ１０に入力される。コンデンサ残量検知手段３０４は、コンデンサ３０２の充電残量が予め定められた所定値よりも少なくなったことを検出すると、残量低下の旨を信号ＣＳによってＡＳＩＣ１０に報知する手段である。
【００２３】
通常モードおよび第１スリープモードでは、コンデンサ３０２は、電圧Ｖ１によって充電される。またレギュレータ３０３は、電圧Ｖ１によって動作する。一方、第２スリープモードでは、電源管理装置１００から電圧Ｖ１が供給されなくなるため、コンデンサ３０２からレギュレータ３０３へ電力が供給される。レギュレータ３０３は、コンデンサ３０２からの電力に基づいて電圧ＶＣを生成し、ＡＳＩＣ１０へ出力する。ダイオード３０６が逆バイアスになるため、コンデンサ３０２から電源管理装置２００へは電力が供給されない。また、コンデンサ残量検知手段３０４は、コンデンサ３０２の残量を監視する。
【００２４】
コンデンサ３０２は、電気二重層コンデンサである。電気二重層コンデンサは、スーパーキャパシタ（登録商標）、ゴールドキャパシタ（登録商標）、ウルトラキャパシタとも呼ばれる。電気二重層コンデンサは、充電時に、電極と逆電極の間に存在する電解質イオンを、静電相互作用により電極及び逆電極の表面に配向させて電気二重層を形成する。そして放電時には、配向がくずれる。充電・放電の際に化学反応を伴わないため、電極の劣化がほとんどなく、長期に渡って使用可能であるという特性を有する。また電気二重層コンデンサは、蓄電池よりも短時間で充放電が可能という特性を有する。また、電解コンデンサよりも大容量の充放電が可能という特性を有する。
【００２５】
ＥＥＰＲＯＭ２８２は、不揮発性のメモリである。ＥＥＰＲＯＭ２８２は、定期メンテナンスフラグ、温度検知フラグ、Ｉ／Ｆ接続変更フラグ、カートリッジ変更フラグ、ジャムフラグ、Ｉ／Ｆ接続情報カートリッジ情報ＣＣＳ、充電時間、を記憶する。
【００２６】
定期メンテナンスフラグは、定期メンテナンス処理（Ｓ１５２）の実行を指示する情報である。温度検知フラグは、インクの温度を検知する処理（Ｓ１１６）の実行を指示する情報である。Ｉ／Ｆ接続変更フラグは、Ｉ／Ｆの接続が変更されている場合に、当該変更に対応するための処理が未実行である場合に記憶されるフラグである。カートリッジ変更フラグは、インクカートリッジ３４０が正しく装着されていない場合に記憶されるフラグである。ジャムフラグは、原稿や記録用紙の紙詰まりが発生している場合に記憶されるフラグである。
【００２７】
Ｉ／Ｆ接続情報は、ＵＳＢホストＩ／Ｆ３４１〜ＬＡＮ＿Ｉ／Ｆ３４３を介して接続されている機器が存在するか否かについての情報や、接続されている機器に関する情報を含んだ情報である。カートリッジ情報ＣＣＳは、インクカートリッジ３４０のインク色やインク残量などに関する情報である。充電時間は、コンデンサ３０２を充電するために、画像形成装置１を通常モードや第１スリープモードに維持しておく時間である。充電時間は、コンデンサ３０２の充電を完了することができる程度の長さを有していればよい。充電時間は、画像形成装置１の製造者などによって予め定められるとしてもよい。
【００２８】
ＤＤＲメモリ２８１は揮発性のメモリである。ＤＤＲメモリ２８１は、ＡＳＩＣ１０との間で各種のデータを通信する。ペーパーフィードモータ１３１は、記録位置において印刷用紙の紙送りをするためのモータである。オートドキュメントフィードモータ１３２は、複数枚の原稿用紙を連続して紙送りするためのモータである。フラットベッドモータ１３３は、読み取り部を移動させるためのモータである。キャリッジモータ１３４は、印刷を行なうキャリッジをその走査方向へ往復移動させるためのモータである。記録ヘッド１１は、インクジェット方式に従って、インクカートリッジ３４０に保持されているインクを印刷用紙へ吐出して記録を行なう部品である。記録ヘッド１１は、キャリッジに搭載される。
【００２９】
図２を用いて、ＡＳＩＣ１０の内部構成、および、ＡＳＩＣ１０に接続される各種の回路を説明する。ＡＳＩＣ１０は、各種の回路を制御するための制御信号を生成する、特殊用途集積回路である。ＡＳＩＣ１０は、システムＩＣやＬＳＩでもよい。
【００３０】
ＣＰＵ（Central Processing Unit）３２０は、画像形成に関連する情報処理を行う回路である。８Ｖスリープ生成手段３２１は、８Ｖスリープ信号ＳＬＥＥＰ２を出力する。８Ｖスリープ信号ＳＬＥＥＰ２は、電源部３０１へ入力される。０Ｖスリープ生成手段３２２には信号ＳＷ１が入力される。０Ｖスリープ生成手段３２２からは、０Ｖスリープ信号ＳＬＥＥＰ１が出力される。０Ｖスリープ信号ＳＬＥＥＰ１は、電源部３０１に入力される。記録制御手段３２３は、信号ＭＳを出力する。信号ＭＳは、電源管理装置１００および記録ヘッド１１に入力される。記録制御手段３２３は、それぞれ、専用バスを介してＤＤＲメモリ２８１およびＥＥＰＲＯＭ２８２と通信する。ＡＳＩＣリセット回路３２４には、ＡＳＩＣリセット信号ＡＳＩＣ＿Ｒが入力される。
【００３１】
ＲＴＣ（real-time clock）部３１０を説明する。ＲＴＣ部３１０には、レギュレータ３０３から電圧ＶＣが供給されている。一方、ＡＳＩＣ１０には、電圧Ｖ２〜Ｖ５が供給されている。よって、通常モードおよび第１スリープモードでは、ＲＴＣ部３１０を含むＡＳＩＣ１０全体が動作する。一方、第２スリープモードでは、ＲＴＣ部３１０のみが動作する。
【００３２】
ＲＴＣ部３１０は、オア回路３１１、第１保持手段３１２、発信回路３１３、カウンタ３１４、第２保持手段３１５、第３保持手段３１６、電源制御手段３１７、カバーセンサ検知手段３１８、を備える。第１保持手段３１２は、コンデンサ３０２の充電残量が予め定められた所定値よりも少なくなった旨の報知を、信号ＣＳを介して受信すると、充電フラグを記憶する。そして、ハイレベルの報知信号ＡＳ１をオア回路３１１へ出力する。発信回路３１３には、クロック信号ＣＬＫ２が入力される。発信回路３１３からは、クロック信号ＣＬＫ２に基づいたクロック信号ＣＫが出力される。クロック信号ＣＫは、カウンタ３１４に入力される。
【００３３】
カウンタ３１４は、入力されるクロック信号ＣＫに基づいてカウントアップを実行する。また、カウンタ３１４は、不図示のレジスタを備えている。カウンタ３１４のレジスタには、各種の装置情報検出時刻を設定することができる。これにより、カウンタ３１４は、レジスタに設定された装置情報検出時刻が到来した旨を検出することができる。
【００３４】
カウンタ３１４のレジスタに装置情報検出時刻として設定される時刻には、インク温度検出時刻、Ｉ／Ｆ接続変更時刻、カートリッジ変更時刻、ジャム検出時刻、定期メンテナンス時刻、が存在する。インク温度検出時刻は、温度センサ３３３を用いてインクカートリッジ３４０内のインク温度を測定する処理の実行周期に基づき定められる時刻である。Ｉ／Ｆ接続変更時刻は、Ｉ／Ｆ接続情報を取得する処理（Ｓ２１２）の実行周期に基づき定められる時刻である。カートリッジ変更時刻は、カートリッジ情報ＣＣＳを取得する処理（Ｓ３１２）の実行周期に基づき定められる時刻である。ジャム検出時刻は、各種のセンサから情報を取得する処理（Ｓ４１２）の実行周期に基づき定められる時刻である。定期メンテナンス時刻は、後述する定期メンテナンス処理（Ｓ１５２）を実行する周期に基づき定められる時刻である。定期メンテナンス時刻は、後述する定期メンテナンス処理の更新処理（Ｓ１１８）によって変更することができる時刻である。Ｉ／Ｆ接続変更時刻、カートリッジ変更時刻およびジャム検出時刻は、インク温度検出時刻よりも短い周期で設定される。Ｉ／Ｆ接続変更時刻、カートリッジ変更時刻およびジャム検出時刻の周期の例としては、１５分が挙げられる。インク温度検出時刻の周期の例としては、３時間が挙げられる。定期メンテナンス時刻は、インク温度検出時刻よりも長い周期で設定される。定期メンテナンス時刻の周期の例としては、３０日が挙げられる。
【００３５】
第２保持手段３１５は、装置情報検出時刻が到来した旨の報知をカウンタ３１４から受信すると、カウンタフラグを記憶する。そして、ハイレベルの報知信号ＡＳ２をオア回路３１１へ出力する。
【００３６】
第３保持手段３１６は、ユーザによる起動命令の入力を受け付けた旨の報知を信号ＳＷ１を介して受信すると、電源ＯＮフラグを記憶する。そして、ハイレベルの報知信号ＡＳ３をオア回路３１１へ出力する。
【００３７】
オア回路３１１には報知信号ＡＳ１〜ＡＳ３が入力される。オア回路３１１から出力される信号ＯＳ１は、電源制御手段３１７に入力される。報知信号ＡＳ１〜ＡＳ３の何れかがハイレベルになると、信号ＯＳ１がハイレベルとなる。電源制御手段３１７には、信号ＯＳ１およびリセット信号ＲＴＣ＿Ｒが入力される。電源制御手段３１７からは、０Ｖスリープ信号ＳＬＥＥＰ１および起動信号ＢＳが出力される。カバーセンサ検知手段３１８には、信号ＳＳ１が入力される。
【００３８】
またＡＳＩＣ１０には、発振子３０５、電源スイッチ３３１、カバーセンサ３３２、温度センサ３３３、タッチパネル３３４、バックライト部３３５、原稿センサ３３６、原稿先端センサ３３７、レジセンサ３３８、インクカートリッジ３４０、ＵＳＢホストＩ／Ｆ３４１、ＵＳＢ＿Ｉ／Ｆ３４２、ＬＡＮ＿Ｉ／Ｆ３４３、メディアカードＩ／Ｆ３４４、がさらに接続されている。
【００３９】
発振子３０５からＡＳＩＣ１０にはクロック信号ＣＬＫ２が入力される。電源スイッチ３３１は、ユーザによる画像形成装置１の起動命令を受け付けるスイッチである。電源スイッチ３３１からＡＳＩＣ１０には、信号ＳＷ１が入力される。カバーセンサ３３２は、インクカートリッジ３４０のカバーの開閉状態を検出するセンサである。カバーセンサ３３２からＡＳＩＣ１０には、信号ＳＳ１が入力される。温度センサ３３３は、インクカートリッジ３４０内に保持されているインクの温度を測定するセンサである。温度センサ３３３は、例えばＮＴＣサーミスタであってもよい。温度センサ３３３からＡＳＩＣ１０には、信号ＳＳ２が入力される。タッチパネル３３４からＡＳＩＣ１０へは、信号ＴＳが入力される。バックライト部は、タッチパネル３３４のパネルを背面から照明する光源である。バックライト部３３５は、通常モードで動作する。ＡＳＩＣ１０からバックライト部３３５へは、信号ＬＳが出力される。原稿センサ３３６は、不図示のオートドキュメントフィーダに原稿がセットされているか否かを検出するセンサである。原稿センサ３３６からＡＳＩＣ１０へは、信号ＳＳ３が出力される。原稿先端センサ３３７は、原稿用紙の先端を検出するセンサである。原稿先端センサ３３７からＡＳＩＣ１０へは、信号ＳＳ４が入力される。レジセンサ３３８は、記録用紙の先端を検出するセンサである。レジセンサ３３８からＡＳＩＣ１０へは、信号ＳＳ５が入力される。
【００４０】
インクカートリッジ３４０は、画像形成に用いるインクを保持する部位である。インクカートリッジ３４０は、インクカートリッジＩＣ３３９を備える。インクカートリッジＩＣ３３９は、カートリッジ情報ＣＣＳを記憶しているＩＣである。カートリッジ情報ＣＣＳは、カートリッジのインク色やインク残量などに関する情報である。ＡＳＩＣ１０は、インクカートリッジＩＣ３３９との間で、カートリッジ情報ＣＣＳを通信する。
【００４１】
ＵＳＢホストＩ／Ｆ３４１およびＵＳＢ＿Ｉ／Ｆ３４２は、ＵＳＢ接続を行うＩ／Ｆである。ＡＳＩＣ１０は、ＵＳＢホストＩ／Ｆ３４１との間で、信号ＵＳＢ＿Ｓを通信する。またＡＳＩＣ１０は、ＵＳＢ＿Ｉ／Ｆ３４２との間で、信号ＩＦ＿Ｓを通信する。ＬＡＮ＿Ｉ／Ｆ３４３は、ＬＡＮ接続を行うＩ／Ｆである。ＡＳＩＣ１０は、ＬＡＮ＿Ｉ／Ｆ３４３との間で、信号ＬＡＮ＿Ｓを通信する。メディアカードＩ／Ｆ３４４は、不揮発性のメモリを備えた各種の記憶カードとの接続を行うＩ／Ｆである。ＡＳＩＣ１０は、メディアカードＩ／Ｆ３４４との間で、信号ＭＣ＿Ｓを通信する。
【００４２】
＜画像形成装置１の動作＞
画像形成装置１の動作を説明する。画像形成装置１は、インクを吐出して記録を行なう記録ヘッド１１を搭載したキャリッジ（不図示）を、キャリッジモータ２３１によって往復移動させる。具体的には、キャリッジモータ２３１の正転及び逆転によって、不図示のガイドシャフトに沿ってキャリッジを往復移動させる。また、ペーパーフィードモータ１３１を駆動することにより、印刷用紙をペーパーフィード機構（不図示）を介して給紙し、記録位置まで搬送し、その記録位置において記録ヘッド１１から印刷用紙の表面にインクを吐出することで記録を行う。
【００４３】
また、画像形成装置１は、通常モード、第１スリープモード、第２スリープモードを備える。通常モードでは、電源部３０１から３１ＶのＤＣ電源ＤＶが供給される。通常モードでは、ペーパーフィードモータ１３１等を駆動することが可能である。第１スリープモードでは、電源部３０１から８ＶのＤＣ電源ＤＶが供給される。第１スリープモードでは、ペーパーフィードモータ１３１等の各種モータには電力が供給されない。第２スリープモードでは、電源部３０１からのＤＣ電源ＤＶの供給が停止される。第２スリープモードでは、ＲＴＣ部３１０、コンデンサ残量検知手段３０４、電源スイッチ３３１、及び発振子３０５のみに電力が供給される。第２スリープモードでは、ＲＴＣ部３１０は、電源部３０１からではなくコンデンサ３０２から電力の供給を受ける。
【００４４】
＜電力制御処理＞
ＡＳＩＣ１０によって行われる電力制御処理について、図３〜図１０のフローチャートを参照して説明する。この電力制御処理は、ＣＰＵ３２０によって、ソフトウェア制御によって行われる処理である。
【００４５】
図３のフローは、画像形成装置１が第２スリープモードから通常モードへ移行することに応じて開始される。第２スリープモードから通常モードへの移行は、画像形成装置１が第１〜第３所定状態の何れかの状態になったことが検出されることに応じて行われる。第１所定状態は、コンデンサ３０２の充電残量が所定量よりも低下した状態である。第２所定状態は、メンテナンス処理が必要な状態である。第３所定状態は、電源スイッチ３３１から起動命令が入力された状態である。第１〜第３所定状態は、ＲＴＣ部３１０によって検出される。具体的には、報知信号ＡＳ１〜ＡＳ３の何れかがハイレベルになることにより、オア回路３１１から出力される信号ＯＳ１がハイレベルに遷移することに応じて、第１〜第３所定状態になったことが検出される。第１〜第３所定状態になったことが検出されると、電源制御手段３１７は、３１ＶのＤＣ電源ＤＶを供給する旨の起動信号ＢＳ信号を電源部３０１へ送信する。これにより、画像形成装置１が第２スリープモードから通常モードへ移行する。
【００４６】
Ｓ１２において、ＣＰＵ３２０は、第１保持手段３１２、第２保持手段３１５、第３保持手段３１６の何れかに記憶されているフラグを取得する。Ｓ１４においてＣＰＵ３２０は、取得されたフラグが、充電フラグ（第１保持手段３１２に記憶）、カウンタフラグ（第２保持手段３１５に記憶）、電源ＯＮフラグ（第３保持手段３１６に記憶）、の何れであるかを判断する。
【００４７】
充電フラグが取得された場合（Ｓ１４：充電フラグ）には、Ｓ１８へ進む。Ｓ１８においてＣＰＵ３２０は、８Ｖスリープ生成手段３２１から電源部３０１へ、８Ｖスリープ信号ＳＬＥＥＰ２を送信させる。これにより、画像形成装置１が通常モードから第１スリープモードへ移行する。Ｓ２０においてＣＰＵ３２０は、充電時間が経過したか否かを判断する。充電時間が経過していない場合（Ｓ２０：ＮＯ）にはＳ２０へ戻り、経過した場合（Ｓ２０：ＹＥＳ）にはＳ２２へ進む。Ｓ２２においてＣＰＵ３２０は、第１保持手段３１２に記憶されている充電フラグを消去する。Ｓ２４においてＣＰＵ３２０は、０Ｖスリープ生成手段３２２から電源部３０１へ、０Ｖスリープ信号ＳＬＥＥＰ１を送信させる。これにより、画像形成装置１が第１スリープモードから第２スリープモードへ移行する。そしてフローが終了する。
【００４８】
一方、Ｓ１４において、カウンタフラグが取得された場合（Ｓ１４：カウンタフラグ）には、Ｓ３２へ進む。Ｓ３２においてＣＰＵ３２０は、メンテナンス処理を実行する。メンテナンス処理の処理内容については後述する。そしてフローを終了する。
【００４９】
また、Ｓ１４において、電源ＯＮフラグが取得された場合（Ｓ１４：カウンタフラグ）には、Ｓ３４へ進む。Ｓ３４においてＣＰＵ３２０は、通常処理を実行する。通常処理の処理内容については後述する。そしてフローを終了する。
【００５０】
図４を用いて、メンテナンス処理（Ｓ３２）を説明する。Ｓ１１２においてＣＰＵ３２０は、ＥＥＰＲＯＭ２８２に記憶されているフラグを読み出す。Ｓ１１２で読み出されるフラグの種類には、定期メンテナンスフラグ、温度検知フラグ、Ｉ／Ｆ接続変更フラグ、カートリッジ変更フラグ、ジャムフラグ、が存在する。そして、読み出されたフラグの種類に対応する処理が実行される。これにより、何れの処理を実行するために第２スリープモードから通常モードへ復帰したかを、フラグを用いて確認することができる。
【００５１】
Ｓ１１２において、温度検知フラグが読み出された場合には（Ｓ１１２：温度検知フラグ）、Ｓ１１６へ進む。Ｓ１１６においてＣＰＵ３２０は、温度センサ３３３を用いて、インクカートリッジ３４０に保持されているインクの温度を測定する。
【００５２】
Ｓ１１８においてＣＰＵ３２０は、ＥＥＰＲＯＭ２８２に記憶されている定期メンテナンス時刻を更新する。具体的には、Ｓ１１６で測定されたインクの温度が低いほど前回の定期メンテナンス時刻と次回の定期メンテナンス時刻が近くなるように、次回の定期メンテナンス時刻を調整する。Ｓ１２０においてＣＰＵ３２０は、カウンタ３１４に記憶させる装置情報検出時刻の候補として、インク温度検出時刻を、ＥＥＰＲＯＭ２８２に一時的に記憶させる。Ｓ１２２においてＣＰＵ３２０は、第２保持手段３１５に記憶されているカウンタフラグを消去する。
【００５３】
Ｓ１２４においてＣＰＵ３２０は、Ｉ／Ｆ接続検知処理を実行する。Ｉ／Ｆ接続検知処理の内容については後述する。Ｓ１２６においてＣＰＵ３２０は、カートリッジ検知処理を実行する。カートリッジ検知処理の内容については後述する。Ｓ１２８においてＣＰＵ３２０は、用紙検知処理を実行する。用紙検知処理の内容については後述する。
【００５４】
Ｓ１４０においてＣＰＵ３２０は、ＥＥＰＲＯＭ２８２に一時的に記憶されている時刻（カウンタ３１４に記憶させる装置情報検出時刻の候補となる時刻）のうち、最も近い時刻を選択する。ＥＥＰＲＯＭ２８２に一時的に記憶されている時刻としては、例えば、インク温度検出時刻（Ｓ１２０）、定期メンテナンス時刻（Ｓ１５４およびＳ１１８）、Ｉ／Ｆ接続変更時刻（Ｓ２２４）、誤装着時設定時刻（Ｓ３２４）、ジャム検出時刻（Ｓ４３４）などが挙げられる。そしてＣＰＵ３２０は、選択された最も近い時刻を、装置情報検出時刻としてカウンタ３１４のレジスタに記憶させる。
【００５５】
また、Ｓ１４０においてＣＰＵ３２０は、最も短い時刻に関連する処理のフラグをＥＥＰＲＯＭ２８２に記憶させる。ＥＥＰＲＯＭ２８２に記憶されるフラグの種類には、定期メンテナンスフラグ、温度検知フラグ、Ｉ／Ｆ接続変更フラグ、カートリッジ変更フラグ、ジャムフラグ、が存在する。
【００５６】
Ｓ１４２においてＣＰＵ３２０は、０Ｖスリープ生成手段３２２から電源部３０１へ、０Ｖスリープ信号ＳＬＥＥＰ１を送信させる。これにより、画像形成装置１が第１スリープモードから第２スリープモードへ移行する。そしてフローが終了する。
【００５７】
一方、Ｓ１１２において、ＥＥＰＲＯＭ２８２からＩ／Ｆ接続変更フラグが読み出された場合には（Ｓ１１２：Ｉ／Ｆ接続変更フラグ）、Ｓ１３０へ進む。Ｓ１３０においてＣＰＵ３２０は、Ｉ／Ｆ接続検知処理を実行する。Ｉ／Ｆ接続検知処理の内容については後述する。また、Ｓ１１２において、カートリッジ変更フラグが読み出された場合には（Ｓ１１２：カートリッジ変更フラグ）、Ｓ１３２へ進む。Ｓ１３２においてＣＰＵ３２０は、カートリッジ検知処理を実行する。カートリッジ検知処理の内容については後述する。また、Ｓ１１２において、ジャムフラグが読み出された場合には（Ｓ１１２：ジャムフラグ）、Ｓ１３４へ進む。Ｓ１３４においてＣＰＵ３２０は、用紙検知処理を実行する。用紙検知処理の内容については後述する。
【００５８】
また、Ｓ１１２において、ＥＥＰＲＯＭ２８２から定期メンテナンスフラグが読み出された場合には（Ｓ１１２：定期メンテナンスフラグ）、Ｓ１５２（図５）へ進む。Ｓ１５２においてＣＰＵ３２０は、定期メンテナンス処理を実行する。定期メンテナンス処理では、例えば、パージやフラッシングなど、記録ヘッド１１のノズルをメンテナンスする処理が実行されてもよい。
【００５９】
Ｓ１５４においてＣＰＵ３２０は、次に定期メンテナンス処理を実行する時刻として、定期メンテナンス時刻の初期値（例：前回の定期メンテナンス時刻の３０日後）をＥＥＰＲＯＭ２８２に記憶させる。Ｓ１５６においてＣＰＵ３２０は、第２保持手段３１５に記憶されているカウンタフラグを消去する。そしてＳ１４０（図４）へ進む。
【００６０】
図６を用いて、Ｓ１２４およびＳ１３０で行われるＩ／Ｆ接続検知処理を説明する。Ｓ２１２においてＣＰＵ３２０は、ＵＳＢホストＩ／Ｆ３４１〜ＬＡＮ＿Ｉ／Ｆ３４３から、Ｉ／Ｆ接続情報を取得する。Ｓ２１４においてＣＰＵ３２０は、ＬＡＮ接続やＵＳＢ接続に変化があったか否かを判断する。具体的には、Ｓ２１２で取得したＩ／Ｆ接続情報が、ＥＥＰＲＯＭ２８２に記憶されているＩ／Ｆ接続情報と一致するか否かを判断する。変化があった場合（Ｓ２１４：ＹＥＳ）にはＳ２１８へ進み、変化がない場合（Ｓ２１４：ＮＯ）にはＳ２１６へ進む。
【００６１】
Ｓ２１６においてＣＰＵ３２０は、ＥＥＰＲＯＭ２８２にＩ／Ｆ接続変更フラグが記憶されているか否かを判断する。Ｉ／Ｆ接続変更フラグが記憶されていない場合（Ｓ２１６：ＮＯ）には、ＬＡＮ接続やＵＳＢ接続の変更に対応済みであると判断され、Ｓ２２６へ進む。一方、Ｉ／Ｆ接続変更フラグが記憶されている場合（Ｓ２１６：ＹＥＳ）には、ＬＡＮ接続やＵＳＢ接続の変更に対応するための処理が未実行であると判断され、Ｓ２１８へ進む。
【００６２】
Ｓ２１８においてＣＰＵ３２０は、ＬＡＮ接続やＵＳＢ接続の変更に対応するための処理を実行する旨をユーザに報知する、報知処理を実行する。報知処理は、例えば、「画像形成装置に接続した機器の電源を入れてください」などの文字列をタッチパネル３３４に表示させてもよい。報知処理は、所定時間行われるとしてもよい。
【００６３】
Ｓ２２０において、ＣＰＵ３２０は、画像形成装置１に接続された機器からの設定変更通知を受信したか否かを判断する。例えば、不図示のＰＣ（Personal Computer）がＵＳＢ＿Ｉ／Ｆ３４２を介して接続された場合には、ＰＣ側で画像形成装置１に対応するドライバ情報の読み出しが完了すると、ＰＣから設定変更通知を受信するとしてもよい。接続先機器から設定変更通知を受信していない場合（Ｓ２２０：ＮＯ）には、Ｓ２２４へ進む。Ｓ２２４においてＣＰＵ３２０は、カウンタ３１４に記憶させる装置情報検出時刻の候補として、Ｉ／Ｆ接続変更時刻（例：１５分後）をＥＥＰＲＯＭ２８２に一時的に記憶させる。また、Ｉ／Ｆ接続変更フラグをＥＥＰＲＯＭ２８２に記憶する。
【００６４】
一方、接続先機器から設定変更通知を受信した場合（Ｓ２２０：ＹＥＳ）には、Ｓ２２２へ進む。Ｓ２２２においてＣＰＵ３２０は、ＥＥＰＲＯＭ２８２からＩ／Ｆ接続変更フラグを消去する。また、ＥＥＰＲＯＭ２８２に一時的に記憶されているＩ／Ｆ接続変更時刻を消去する。Ｓ２２６に進みＣＰＵ３２０は、Ｉ／Ｆ接続情報をＥＥＰＲＯＭ２８２に記憶させる。そしてフローを終了する。
【００６５】
図７を用いて、Ｓ１２６およびＳ１３２で行われるカートリッジ検知処理を説明する。Ｓ３１２においてＣＰＵ３２０は、インクカートリッジＩＣ３３９からカートリッジ情報ＣＣＳを取得する。Ｓ３１４においてＣＰＵ３２０は、カートリッジ情報に変化が生じたか否かを判断する。具体的には、Ｓ３１２で取得したカートリッジ情報が、ＥＥＰＲＯＭ２８２に記憶されているカートリッジ情報と一致するか否かを判断する。変化が生じた場合（Ｓ３１４：ＹＥＳ）にはＳ３１８へ進み、変化が生じていない場合（Ｓ３１４：ＮＯ）にはＳ３１６へ進む。
【００６６】
Ｓ３１６においてＣＰＵ３２０は、ＥＥＰＲＯＭ２８２にカートリッジ変更フラグが記憶されているか否かを判断する。カートリッジ変更フラグが記憶されていない場合（Ｓ３１６：ＮＯ）には、インクカートリッジ３４０が正しく装着されている場合であると判断され、Ｓ３２６へ進む。一方、カートリッジ変更フラグが記憶されている場合（Ｓ３１６：ＹＥＳ）には、インクカートリッジ３４０の交換に対応するための処理が未実行であると判断され、Ｓ３１８へ進む。
【００６７】
Ｓ３１８においてＣＰＵ３２０は、インクカートリッジ３４０の交換に対応するための処理を実行する旨をユーザに報知する、報知処理を実行する。報知処理は、例えば、「インクカートリッジを確認してください」などの文字列をタッチパネル３３４に表示させてもよい。また報知処理は、所定時間行われるとしてもよい。
【００６８】
Ｓ３２０においてＣＰＵ３２０は、インクカートリッジ３４０が誤装着されているか否かを判断する。誤装着の例としては、カートリッジの取付け部の色と、取付けられたカートリッジの色とが異なっている場合が挙げられる。インクカートリッジ３４０が誤装着されている場合（Ｓ３２０：ＹＥＳ）には、Ｓ３２４へ進む。Ｓ３２４においてＣＰＵ３２０は、カウンタ３１４に記憶させる装置情報検出時刻の候補として、誤装着時設定時刻（例：１５分後）をＥＥＰＲＯＭ２８２に一時的に記憶させる。また、カートリッジ変更フラグをＥＥＰＲＯＭ２８２に記憶する。
【００６９】
一方、インクカートリッジ３４０が誤装着されていない場合（Ｓ３２０：ＮＯ）には、Ｓ３２２へ進む。Ｓ３２２においてＣＰＵ３２０は、ＥＥＰＲＯＭ２８２からカートリッジ変更フラグを消去する。また、ＥＥＰＲＯＭ２８２に一時的に記憶されている誤装着時設定時刻を消去する。そしてＳ３２６へ進む。
【００７０】
Ｓ３２６においてＣＰＵ３２０は、インクカートリッジ３４０が交換されたか否かを判断する。インクカートリッジ３４０が交換されたか否かを判断する方法の例としては、インク残量が変化したかを判断することが挙げられる。交換された場合（Ｓ３２６：ＹＥＳ）にはＳ３２８へ進み、記録ヘッド１１のメンテナンス処理（パージ、フラッシングなど）を実行する。そしてＳ３２６へ戻る。一方、インクカートリッジ３４０が交換されていない場合（Ｓ３２６：ＮＯ）にはＳ３３０へ進む。Ｓ３３０においてＣＰＵ３２０は、交換後のインクカートリッジ３４０からカートリッジ情報ＣＣＳを取得し、ＥＥＰＲＯＭ２８２に記憶させる。そしてフローを終了する。
【００７１】
図８を用いて、Ｓ１２８およびＳ１３４で行われる用紙検知処理を説明する。Ｓ４１２において、ＣＰＵ３２０は、原稿センサ３３６、原稿先端センサ３３７、レジセンサ３３８から、各種の情報を取得する。Ｓ４１４においてＣＰＵ３２０は、オートドキュメントフィーダ（不図示）に原稿がセットされている旨の信号ＳＳ３を、原稿センサ３３６から受信したか否かを判断する。原稿がセットされていない場合（Ｓ４１４：ＮＯ）にはＳ４１８へ進み、原稿がセットされている場合（Ｓ４１４：ＹＥＳ）にはＳ４１６へ進む。Ｓ４１６においてＣＰＵ３２０は、オートドキュメントフィーダ（不図示）に原稿がセットされている旨をユーザに報知する、報知処理を実行する。報知処理は、例えば、「原稿がセットされています」などの文字列をタッチパネル３３４に表示させてもよい。報知処理は、所定時間行われるとしてもよい。
【００７２】
Ｓ４１８においてＣＰＵ３２０は、原稿の先端部が読み取り中の位置に存在する旨の信号ＳＳ４を原稿先端センサ３３７から受信したか、または、記録用紙の先端部が印刷中の位置に存在する旨の信号ＳＳ５をレジセンサ３３８から受信したか、を判断する。これらの信号を受信していない場合（Ｓ４１８：ＮＯ）にはＳ４２６へ進む。一方、これらの信号を受信した場合（Ｓ４１８：ＹＥＳ）には、原稿や記録用紙が搬送経路の途中に位置している場合（紙詰まりが発生している場合）であると判断され、Ｓ４２２へ進む。Ｓ４２２においてＣＰＵ３２０は、ペーパーフィードモータ１３１やオートドキュメントフィードモータ１３２を駆動し、排紙処理を実行する。
【００７３】
Ｓ４２４においてＣＰＵ３２０は、原稿の先端部が読み取り中の位置に存在する旨の信号ＳＳ４を原稿先端センサ３３７から受信したか、または、記録用紙の先端部が印刷中の位置に存在する旨の信号ＳＳ５をレジセンサ３３８から受信したか、を再度判断する。これらの信号を受信した場合（Ｓ４２４：ＹＥＳ）には、原稿や記録用紙の紙詰まりが依然として発生している場合であると判断され、Ｓ４２８へ進む。一方、これらの信号を受信していない場合（Ｓ４２４：ＮＯ）にはＳ４２６へ進む。Ｓ４２６においてＣＰＵ３２０は、ＥＥＰＲＯＭ２８２にジャムフラグが記憶されているか否かを判断する。ジャムフラグが記憶されていない場合（Ｓ４２６：ＮＯ）には、原稿や記録用紙の紙詰まりが発生していないと判断され、Ｓ４３２へ進む。一方、ジャムフラグが記憶されている場合（Ｓ４２６：ＹＥＳ）には、原稿や記録用紙の紙詰まりが発生していると判断され、Ｓ４２８へ進む。Ｓ４２８においてＣＰＵ３２０は、原稿や記録用紙の紙詰まりが発生している旨をユーザに報知する、報知処理を実行する。報知処理は、例えば、「紙詰まりが発生しています」などの文字列をタッチパネル３３４に表示させてもよい。報知処理は、所定時間行われるとしてもよい。
【００７４】
Ｓ４３０においてＣＰＵ３２０は、原稿の先端部が読み取り中の位置に存在する旨の信号ＳＳ４を原稿先端センサ３３７から受信したか、または、記録用紙の先端部が印刷中の位置に存在する旨の信号ＳＳ５をレジセンサ３３８から受信したか、を再度判断する。これらの信号を受信した場合（Ｓ４３０：ＹＥＳ）には、原稿や記録用紙の紙詰まりが依然として発生している場合であると判断され、Ｓ４３４へ進む。Ｓ４３４においてＣＰＵ３２０は、カウンタ３１４に記憶させる装置情報検出時刻の候補として、ジャム検出時刻（例：１５分後）をＥＥＰＲＯＭ２８２に一時的に記憶させる。また、ジャムフラグをＥＥＰＲＯＭ２８２に記憶する。
【００７５】
一方、これらの信号を受信していない場合（Ｓ４３０：ＮＯ）には、原稿や記録用紙の紙詰まりが発生していないと判断され、Ｓ４３２へ進む。Ｓ４３２においてＣＰＵ３２０は、ＥＥＰＲＯＭ２８２からジャムフラグを消去する。また、ＥＥＰＲＯＭ２８２に一時的に記憶されているジャム検出時刻を消去する。そしてフローを終了する。
【００７６】
図９を用いて、通常処理（Ｓ３４）を説明する。Ｓ５１０においてＣＰＵ３２０は、一般的な処理を実行する。一般的な処理の一例としては、印刷処理が挙げられる。Ｓ５１２においてＣＰＵ３２０は、第１スリープモードへの移行条件が満たされたか否かを判断する。移行条件の例としては、画像形成装置１に何れの命令も入力されない状態で、予め定められた所定時間が経過する条件が挙げられる。移行条件が満たされない場合（Ｓ５１２：ＮＯ）にはＳ５１６へ進み、移行条件が満たされた場合（Ｓ５１２：ＹＥＳ）にはＳ５１４へ進む。Ｓ５１４においてＣＰＵ３２０は、８Ｖスリープ生成手段３２１から電源部３０１へ、８Ｖスリープ信号ＳＬＥＥＰ２を送信させる。これにより、画像形成装置１が通常モードから第１スリープモードへ移行する。そしてＳ５１６へ進む。
【００７７】
Ｓ５１６においてＣＰＵ３２０は、第２スリープモードへの移行命令の入力が受け付けられたか否かを判断する。第２スリープモードへの移行命令の入力は、例えば、電源スイッチ３３１によって受け付けられてもよい。移行命令の入力が受け付けられていない場合（Ｓ５１６：ＮＯ）にはＳ５１０へ戻り、移行命令の入力が受け付けられた場合（Ｓ５１６：ＹＥＳ）にはＳ５１１８へ進む。Ｓ５１８においてＣＰＵ３２０は、０Ｖスリープ生成手段３２２から電源部３０１へ、０Ｖスリープ信号ＳＬＥＥＰ１を送信させる。これにより、画像形成装置１が第１スリープモードから第２スリープモードへ移行する。そしてフローが終了する。
【００７８】
＜効果＞
本明細書に開示されている画像形成装置１の効果を説明する。画像形成装置１によれば、画像形成装置１が第２スリープモード（電源部３０１から電力が供給されていないモード）である場合には、ＲＴＣ部３１０は、コンデンサ３０２からの電力供給によって画像形成装置１を監視することができる。これにより、画像形成装置１を使用しない期間においては、電源部３０１からは電力の供給を受けず、コンデンサ３０２からの電力供給だけで画像形成装置１を駆動させることができるため、さらなる省電力化を図ることができる。
【００７９】
画像形成装置１の状態が変化している場合（Ｓ２１４、Ｓ３１４：ＹＥＳ）には、カウンタ３１４に記憶させる装置情報検出時刻として、Ｉ／Ｆ接続変更時刻（Ｓ２２４）や誤装着時設定時刻（Ｓ３２４）が使用される。そして、画像形成装置１の状態が変化している場合の装置情報検出時刻（Ｉ／Ｆ接続変更時刻、誤装着時設定時刻など）は、画像形成装置の状態が変化していない場合の装置情報検出時刻（インク温度検出時刻、定期メンテナンス時刻など）に比して、短い周期で設定される。よって、画像形成装置の状態が変化している場合の方が、画像形成装置の状態が変化していない場合に比して、第２スリープモードから通常モードに遷移する頻度を高くすることができる。これにより、画像形成装置１の状態が変化している場合（装置状態の監視が必要な場合）の方が、より高い頻度で画像形成装置１に関する情報を取得（Ｓ２１２、Ｓ３１２）することが可能となる。よって、画像形成装置１の状態に応じて、省電力化を優先する制御と、画像形成装置の状態を監視する制御を優先する制御とを切り替えることが可能となる。
【００８０】
画像形成装置１では、Ｉ／Ｆの接続変更に未対応の旨を示すＩ／Ｆ接続変更フラグ（Ｓ２２４）や、インクカートリッジ３４０が正しく装着されていない旨を示すカートリッジ変更フラグ（Ｓ３２４）を、ＥＥＰＲＯＭ２８２に記憶させることができる。よって、Ｉ／Ｆの接続変更に未対応の場合や、インクカートリッジ３４０が誤装着されている場合（すなわち装置状態の監視が必要な場合）には（Ｓ２１６、Ｓ３１６）、第２スリープモードから通常モードに遷移する頻度を高くすることで、より高い頻度で画像形成装置の装置状態を監視することが可能となる。
【００８１】
インクカートリッジ３４０に保持されているインクは、温度が低くなるほど粘度が上昇し、記録ヘッド１１でのインク詰まりが発生しやすくなる。画像形成装置１では、インクの温度が低いほど、通常モードに遷移してメンテナンス処理を実行する頻度を高くすることができる（Ｓ１１８）。これにより、記録ヘッド１１でのインク詰まりの発生を、より効果的に防止することができる。
【００８２】
コンデンサ３０２には、電気二重層コンデンサが用いられている。電気二重層コンデンサは、充電に際してイオンの移動を伴わないため、２次電池等を用いる場合に比して早く充電を完了させることができる。よって、画像形成装置１が通常モードまたは第１スリープモードに遷移し、他の処理を実行している期間中に、コンデンサ３０２の充電を完了させることが可能となる。これにより、コンデンサ３０２を充電するためだけに画像形成装置１を通常モードまたは第１スリープモードに維持する必要を無くすことができる、さらなる省電力化を図ることができる。
【００８３】
＜変形例＞
上記の実施例の変形例を以下に列挙する。Ｓ１１６において測定される情報は、インクの温度に限られない。画像形成装置１の周囲の環境に関する情報（室温、湿度など）を測定するとしてもよい。そして、室温や湿度も考慮して、定期メンテナンス時刻を調整（Ｓ１１８）するとしてもよい。これにより、記録ヘッド１１でのインク詰まりの発生を、さらに効果的に防止することができる。
【００８４】
Ｓ１１８において、インクの温度に基づいて定期メンテナンス時刻を更新する方法は、各種の方法であってよい。例えば、インク温度が高いほど、前回の定期メンテナンス時刻と次回の定期メンテナンス時刻の間隔を長くする更新方法でもよい。
【００８５】
Ｓ２０において、コンデンサ３０２への充電完了を検出する方法は、充電時間を用いた方法に限られず、各種の方法が使用可能である。例えば、コンデンサ残量検知手段３０４を用いてコンデンサ３０２の充電残量が予め定められた所定値よりも大きくなったことを検出すると、コンデンサ３０２への充電が完了したことを検出し、充電フラグを消去する（Ｓ２２）としてもよい。
【００８６】
図３のフローは、画像形成装置１が第２スリープモードから通常モードへ移行することに応じて開始されるとしたが、この形態に限られない。画像形成装置１が第２スリープモードから第１スリープモードへ移行することに応じて、図３のフローが開始されてもよい。そして、ペーパーフィードモータ１３１〜キャリッジモータ１３４を動作させる必要のある処理（用紙検知処理、図８）や、記録ヘッド１１を動作させる必要のある処理（定期メンテナンス処理、図５）を実行する必要が生じた場合には、第１スリープモードから通常モードへ移行するとしてもよい。
【００８７】
カウンタ３１４のレジスタに、各種の装置情報検出時刻を記憶させる方法には、各種の方法を使用することができる。例えば、各種の装置情報検出時刻をカウンタ値で記憶させてもよい。
【００８８】
本実施例では、インクジェット画像形成装置に本発明を適用した例を挙げて説明したが、本発明はこれに限定されない。画像形成装置に限定されず、様々な機器の制御回路にも適用することが可能である。
【００８９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００９０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００９１】
電源部３０１は、電源部の一例である。通常モード、第１スリープモードは、第１状態の一例である。第２スリープモードは、第２状態の一例である。ＲＴＣ３１０は、監視部の一例である。ＡＳＩＣ１０（ＣＰＵ３２０含む）は、制御部の一例である。ＥＥＰＲＯＭ２８２は、記憶部の一例である。定期メンテナンスフラグ、温度検知フラグ、Ｉ／Ｆ接続変更フラグ、カートリッジ変更フラグ、ジャムフラグは、指示情報の一例である。インクの温度、Ｉ／Ｆ接続情報、カートリッジ情報、各種の情報（Ｓ４１２）は、情報の一例である。０Ｖスリープ信号ＳＬＥＥＰ１は、停止信号の一例である。電源制御手段３１７は、切替部の一例である。インク温度検出時刻の周期は、第１の装置情報時間の一例である。Ｉ／Ｆ接続変更時刻の周期、カートリッジ変更時刻の周期は、第２の装置情報時間の一例である。Ｉ／Ｆ接続変更フラグ、カートリッジ変更フラグは、変化情報の一例である。インク温度は、環境情報の一例である。インクカートリッジ３４０は、保持部の一例である。記録ヘッド１１は、印刷部の一例である。
【符号の説明】
【００９２】
１：画像形成装置、１０：ＡＳＩＣ、１００および２００：電源管理装置、２８２：ＥＥＰＲＯＭ、３０１：電源部、３０２：コンデンサ、３１０：ＲＴＣ部
【図１】
0006015069.tif 000002
【図２】
0006015069.tif 000003
【図３】
0006015069.tif 000004
【図４】
0006015069.tif 000005
【図５】
0006015069.tif 000006
【図６】
0006015069.tif 000007
【図７】
0006015069.tif 000008
【図８】
0006015069.tif 000009
【図９】
0006015069.tif 000010